(57)【要約】【課題】電池を充電できると共に、他の電気機器のプラグを接続して電力を供給することが可能なコンセント付き電池充電器を提供すること。【解決手段】台座１と、台座１の表面に設置されたコンセント２とを備え、台座１に電池収納部１１及び電源コンセントと接続可能な刃部１３を設け、電池収納部１１と刃部１３とを充電回路を介して接続し、コンセント２の差込口２１の内部に設置した導電端子と刃部１３との間に、刃部１３から導電端子へ電力を供給する回路を設けてある。【選択図】図１
0003120330.tif 000002
【実用新案登録請求の範囲】
【請求項１】
台座と、該台座の表面に設置されたコンセントとを備え、前記台座に電池収納部及び電源コンセントと接続可能な刃部を設け、前記電池収納部と刃部とを充電回路を介して接続し、前記コンセントの差込口の内部に設置した導電端子と前記刃部との間に、該刃部から前記導電端子へ電力を供給する回路を設けたことを特徴とするコンセント付き電池充電器。
【請求項２】
前記導電端子と刃部との間の回路に、該回路の通電を制御するスイッチを設けた請求項１に記載のコンセント付き電池充電器。
【請求項３】
前記導電端子と刃部との間の回路に、該回路に流れる電流が過負荷状態になったときに開いて電流を遮断する過負荷保護装置を設けた請求項１に記載のコンセント付き電池充電器。
【考案の詳細な説明】
【技術分野】
【０００１】
本考案は、コンセント付き電池充電器に関する。
【背景技術】
【０００２】
電池は、小型電器、懐中電灯、携帯電話、デジタルカメラ等の電源として一般的に用いられているが、環境保護とコスト低減の観点から、繰り返して使用可能な受電式電池が普及しつつある。
現在、このような電池に充電するために、様々なタイプの電池充電器が市場に出回っているが、通常知られている電池充電器（特許文献１、特許文献２、特許文献３参照）は、単に電池への充電を行うだけであって、他の機能を有するものではなかった。
また、図６に示すように、電池充電器Ｄは電池Ａの寸法に合わせてあるので、かなりの大きさがある。このため、電池充電器Ｄを電源コンセントＢ１に差し込むと、近接した電源コンセントＢ２をも電池充電器Ｄが覆い隠してしまい、他の電気機器を使えなくなってしまう。
【０００３】
【特許文献１】台湾特許第１８３５４７号公報
【特許文献２】台湾特許第１２９８７２号公報
【特許文献３】台湾特許第１９８３２０号公報
【考案の開示】
【考案が解決しようとする課題】
【０００４】
本考案が解決しようとする課題は、電池を充電できると共に、他の電気機器のプラグを接続して電力を供給することが可能なコンセント付き電池充電器を提供することにある。
【課題を解決するための手段】
【０００５】
本考案のコンセント付き電池充電器は、台座と、該台座の表面に設置されたコンセントとを備え、前記台座に電池収納部及び電源コンセントと接続可能な刃部を設け、前記電池収納部と刃部とを充電回路を介して接続し、前記コンセントの差込口の内部に設置した導電端子と前記刃部との間に、該刃部から前記導電端子へ電力を供給する回路を設けてある。
【０００６】
前記導電端子と刃部との間の回路に、該回路の通電を制御するスイッチを設けることも可能である。
前記導電端子と刃部との間の回路に、該回路に流れる電流が過負荷状態になったときに開いて電流を遮断する過負荷保護装置を設けても良い。
【考案の効果】
【０００７】
請求項１に係る考案によれば、電池への充電を行うだけでなく、他の電気機器の電源として用いることができ、電池への充電を行う際に複数の電源コンセントを占有してしまう弊害を解消できる。
請求項２に係る考案によれば、スイッチを開閉操作するだけで、コンセントへ接続した電気機器への通電を容易に制御できる。
請求項３に係る考案によれば、コンセントの負荷が大きくなりすぎると自動的に通電を遮断するため、安全性が高まる。
【考案を実施するための最良の形態】
【０００８】
本考案のコンセント付き電池充電器は、台座と、台座の表面に設置されたコンセントとを備える。台座に電池収納部及び電源コンセントと接続可能な刃部を設ける。
電池収納部と刃部とを充電回路を介して接続し、電池収納部に収納した電池へ外部コンセントから取り込んだ電力を充電することができる。電池収納部には複数の電池を収納できるようにしても良い。
コンセントの差込口の内部に設置した導電端子と刃部との間に、刃部から導電端子へ電力を供給する回路を設ける。コンセントを複数設け、複数の電気機器へ給電できるようにするのが望ましい。
以下、本考案の実施例を図面に基づいて詳細に説明する。
【実施例１】
【０００９】
図１〜図３は、本考案の実施例１を示す。
図１に示すように、コンセント付き電池充電器は、台座１と、１乃至複数のコンセント２とを備える。
台座１の表面には、複数の電池を収納できる電池収納部１１が形成され、電池収納部１１には収納される電池に対応する端子が設置されている。
また、図２に示すように、台座１内には充電回路１２が設けられ、充電回路１２が電池収納部１１に設置された端子に接続されている。
さらに、台座１１の背面には一対の刃部１３が設けられ（図１）、これら刃部１３が充電回路１２に接続されている（図２）。
なお、図１に示すように、台座１の外面の適宜個所には指示ランプ１４が設置されている。
【００１０】
コンセント２は、台座１の表面に設置され、それぞれ一対の差込口２１を有する。図２に示すように、各差込口２１の内部には導電端子２２が設けられ、これら導電端子２２と刃部１３が回路２３に接続されている。
また、回路２３には、台座１の外部から開閉操作可能なスイッチ２４が設置され、スイッチ２４を開閉することによって回路２３の通電を制御できるようになっている。
なお、スイッチ２４は、省略することも可能である。
【００１１】
この照明装置付き電池充電器は次のように使用する。
図３に示すように、台座１から延びる刃部１３を電源コンセントＢに接続し、電池収納部１１内に充電が必要な電池Ａを収納し、電池Ａの端子と電池収納部１１内に設置された端子とを接続する。すると、電源コンセントＢから、刃部１３及び充電回路１２を介して、電池収納部１１内の端子に電力が供給され、電池Ａが充電される。
充電が終了すると、指示ランプ１４が点灯して充電終了を知らせる。
同時に、コンセント２の差込口２１に他の電器のプラグＣを差し込んで、プラグＣと導電端子２２とを接触させると共に、スイッチ２４を閉操作し、電源コンセントＢから刃部１３及び回路２３を介してプラグＣへ電力を供給することもできる。
【実施例２】
【００１２】
図４は、本考案の実施例２を示す。
コンセント２の導電端子２２を、スイッチ２４を設けない回路２３を介して刃部１３に接続してある。
その他の構成は、実施例１と同様なので、同一部分には共通の符号を付して、詳細な説明を省略する。
【実施例３】
【００１３】
図５は、本考案の実施例３を示す。
コンセント２の導電端子２２と刃部１３とを接続する回路２３に、回路２３に流れる電流が過負荷状態になったときに開いて電流を遮断する過負荷保護装置２５を設けてある。これにより、コンセント２の負荷が大きくなりすぎると、コンセント２への通電を自動的に遮断する。
その他の構成は実施例２と同様なので、詳細な説明を省略する。
なお、実施例１〜実施例３において、回路２３は、銅線等の導電線材とすることができる。
【図面の簡単な説明】
【００１４】
【図１】実施例１を示すコンセント付き電池充電器の斜視図。
【図２】実施例１に係るコンセント付き電池充電器の回路図。
【図３】実施例１を示すコンセント付き電池充電器の使用状態における図。
【図４】実施例２を示すコンセント付き電池充電器の回路図。
【図５】実施例３を示すコンセント付き電池充電器の回路図。
【図６】従来の電池充電器の使用状態における斜視図。
【符号の説明】
【００１５】
１  台座
１１  電池収納部
１２  充電回路
１３  刃部
１４  表示ランプ
１５  刃部
２  コンセント
２１  差込口
２２  導電端子
２３  回路
２４  スイッチ
２５  過負荷保護装置
Ａ  電池
Ｂ，Ｂ１，Ｂ２  電源コンセント
Ｃ  プラグ
Ｄ  電池充電器
【図１】
0003120330.tif 000003
【図２】
0003120330.tif 000004
【図３】
0003120330.tif 000005
【図４】
0003120330.tif 000006
【図５】
0003120330.tif 000007
【図６】
0003120330.tif 000008